(57)【要約】  本発明は、便器リムの下に機械的に固定するための固定部分及び活性成分を受入れるための、前記固定部分と接合した受入部分を含む活性成分用ホルダーに関するものである。そのような公知のホルダーの１つの問題は、便器に固定し、再度そこから取り外すことが面倒であることである。この不都合は、本発明に従って、前記固定部分の少なくとも一部が生分解性材料、好ましくは水溶性材料から形成されることによって克服される。【選択図】図１
2008522061.tif 000002
【特許請求の範囲】
【請求項１】
便器リム（100）の下に機械的に固定するための固定部分（20）及び
活性成分（30）を受入れるための、前記固定部分と接合した受入部分（10）
を含む活性成分用ホルダーであって、前記固定部分の少なくとも一部が生分解性材料、好ましくは水溶性材料から形成される、ホルダー。
【請求項２】
前記固定部分全体が生分解性材料、好ましくは水溶性材料から形成される、請求項１記載のホルダー。
【請求項３】
前記受入部分全体が生分解性材料、好ましくは水溶性材料から形成される、請求項２記載のホルダー。
【請求項４】
前記固定部分が便器リムのキャビティ（130、140）に前記ホルダーを固定するために、特に便器リムのアンダーカット（140）に相互係止固着のために、又は便器リムの前記キャビティ（130、140）に非相互係止ウェジングのために設計される、請求項１〜３のいずれか１項記載のホルダー。
【請求項５】
前記固定部分が弾性変形可能部分（23）を有し、前記弾性変形可能部分は、前記便器リムの下への前記固定部分の導入において、前記固定部分が便器リムのキャビティの幅狭キャビティ部分を通り抜けるような方式で変形され、前記固定部分が前記幅狭キャビティ部分を押し通されると、少なくとも部分的に反発して、相互係止固着が前記便器リムのキャビティのより広いアンダーカットで達成される、請求項１〜４のいずれか１項記載のホルダー。
【請求項６】
活性成分が消費されると、前記固定部分及び/又は前記受入部分の前記生分解性部分が分解するように設計された、請求項１〜５のいずれか１項記載のホルダー。
【請求項７】
前記生分解性部分が、前記活性成分が消費されたときに前記ホルダーができるだけ早く前記便器リムの下への固定から取り外されるような方式で前記固定部分の機械的性質を変えるように設計された、請求項１〜６のいずれか１項記載のホルダー。
【請求項８】
前記受入部分が、好ましくは相互係止方式で少なくとも部分的にグリッドを囲む固体活性成分によって、例えばトイレットブロックのような固体活性成分が固定されることができるグリッド（11-15；211-213）の形態をとる、請求項１〜７のいずれか１項記載のホルダー。
【請求項９】
前記固定部分及び前記受入部分が、使用条件下で目に見えないような大きさにされた、請求項１〜８のいずれか１項記載のホルダー。
【請求項１０】
使用時に、前記受入部分が前記便器リムのキャビティ内に配置される、請求項９記載のホルダー。
【請求項１１】
ホルダーと接合したハンドル部分（40）であって、便器リムの下に前記固定部分を導入するためのハンドル部分を有する請求項１〜１０のいずれか１項記載のホルダー。
【請求項１２】
前記ハンドル部分が、好ましくは予め決められた切断点（42）で前記ホルダーに取り外し可能なように固定される、請求項１１記載のホルダー。
【請求項１３】
前記ハンドル部分が生分解性である、好ましくは水溶性である、特に前記活性成分よりも高い水溶性である、請求項１１又は１２記載のホルダー。
【請求項１４】
前記便器リムの下に前記ホルダーが存在することを示すための表示部分を有する請求項１〜１３のいずれか１項記載のホルダー。
【請求項１５】
前記表示部分が同時に前記ハンドル部分として機能する、請求項１４記載のホルダー。
【請求項１６】
便器リムに固定することができるホルダー（10、20）及び、
トイレを清掃し、トイレを殺菌し、及び/又はトイレの臭気を取り除くための活性成分（30）
を含むトイレクリーナ装置であって、前記ホルダーが請求項１〜１５のいずれか１項に記載されるものである、トイレクリーナ装置。
【請求項１７】
前記活性成分が液状又はゲル状の薬剤の形態であり、少なくとも１つの開口を含む受入部分によって囲まれている、請求項１６記載のトイレクリーナ装置。
【請求項１８】
前記活性成分が、前記受入部分を少なくとも部分的に囲んでいる固体薬剤の形態である、請求項１６記載のトイレクリーナ装置。
【請求項１９】
前記活性成分が存在することを示すように設計された表示部分を有する請求項１６〜１８のいずれか１項記載のトイレクリーナ装置。
【請求項２０】
前記表示部分が前記活性成分に固定され、前記固定が前記活性成分の溶解に影響を与えない、請求項１９記載のトイレクリーナ装置。
【請求項２１】
前記固定部分、前記受入部分及び前記活性成分が、使用条件下で目に見えないような大きさにされた、請求項１６〜２０のいずれか１項記載のトイレクリーナ装置。
【請求項２２】
使用時に、前記固定部分、前記受入部分及び前記活性成分が前記便器リムのキャビティ内に配置される、請求項２１記載のトイレクリーナ装置。
【請求項２３】
トイレを清掃し、トイレを殺菌し、及び/又はトイレの臭気を取り除くための方法であって、
便器リムの下にホルダーの固定部分を固定し、
前記固定部分に接合された受入部分内又は上に活性成分を備え、
各排水時にある割合の前記活性成分を水で溶解し、
前記活性成分が消費されたら、前記ホルダーを取り除く
工程を含み、
前記ホルダーが生分解プロセスによって、特に水溶解プロセスによって前記リムの下の固定から取り外され、前記便器の排水ゾーンから洗い流すことによって取り除かれる、方法。
【請求項２４】
活性成分用ホルダーを製造する方法であって、
弾性変形可能及び生分解可能材料、特に水溶性材料からシングルピースで固定部分及び受入部分を成形し、
固体活性成分を加熱して、その物質の状態を糊状又は液状に変え、
加熱された活性成分を前記受入部分の少なくとも１つのゾーンの周りに配置し、
前記活性成分を冷却する
ことを含む、方法。
【発明の詳細な説明】
【技術分野】
【０００１】
本発明は活性成分用ホルダーに関するものであり、前記活性成分用ホルダーは便器リムの下に機械的に固定するための固定部分及び活性成分を受入れるための、前記固定部分と接合した受入部分を含む。本発明の別の態様は、便器リムに固定することができるホルダー及びトイレを清掃し、トイレを殺菌し、及び/又はトイレの臭気を取り除くための活性成分を含むトイレクリーナ装置である。最後に、本発明は、またトイレを清掃し、トイレを殺菌し、及び/又はトイレの臭気を取り除くための方法に関するものであり、前記方法は、便器リムの下にホルダーの固定部分を固定し、前記固定部分に接合された受入部分に活性成分を備え、各排水時にある割合の前記活性成分を水で溶解し、前記活性成分が消費されたら、前記ホルダーを取り除く工程を含む。また、本発明は前記トイレクリーナ装置を製造する方法に関するものである。
【背景技術】
【０００２】
上記方法を行うための、上記のタイプのホルダー及びトイレクリーナ装置は公知である。便器リムの下に固定されるために、それらは便器リムゾーンにおけるホルダーの相対的に魅力的な配置を可能にし、その全体的な概観に関して、例えばCH 575 140 A5に開示されるような、リムからはみ出しているホルダー部分によって固定する従来のホルダーよりも優れている。
リムの下に固定するための、最初に記載されたタイプのホルダーは、例えばDE 1 953 658又はWO 03/095753 A1に開示されている。これらのホルダーは、確かにクリップが便器リムからはみ出して、その見栄えを悪くするのを防止するとともに、トイレの清掃に関して問題を回避しているが、これらのホルダーを固定し、取り外すために、使用者は便器に手を入れなければならず、衛生上の理由で望ましくないという欠点がある。
これらの公知のホルダーの別の欠点は、固定し、取り外すために、ホルダーの目に見える固定する部分が、リムの下に配置し、又はリムの下から取り外すときに、手で又は補助手段を用いて固定するために必要であるという事実である。
EP 0 773 330 A1には、公知の、ホック形状ホルダーアームを用いて便器のリムに固定することができるタブレットディスペンサーが開示されている。この方法で具体化されたホルダーは、便器に手を入れることなく、便器リムへの固定から取り外すことができ、使用後トイレに流すことができる。このために、前記ホルダーは、生分解性である容易に圧縮できるフィルム材料から形成される。
【発明の開示】
【発明が解決しようとする課題】
【０００３】
本発明の目的は、公知のホルダーと比較して衛生上の問題を軽減して使用できる、より審美的に引かれるホルダーを提供することである。
【課題を解決するための手段】
【０００４】
本発明によれば、この目的は、固定部分の少なくとも一部を生分解性材料、好ましくは水溶性材料から形成することによって上記タイプのホルダーにより達成される。
ここで、前記ホルダーの使用は、便器リムの下に機械的に固定することに限定されず、前記ホルダーは、同様にスイミングプールのエッジ、渦巻き風呂のエッジ、小便器のリムなどの下に機械的に固定するのに適しており、このようにどのような用途でも、衛生施設、プールなどのリム又はエッジの下にホルダーによって活性成分を固定することが望ましい。
本発明の実施態様は、固定部分の少なくとも一部が生分解性であり、このように、ホルダーは便器リムの下への固定から取り外されることを確実にする。したがって、使用者は、もはやホルダーを取り外すために手でホルダーに触れる必要ではない。
【発明を実施するための最良の形態】
【０００５】
固定部分の生分解性部分は、特にここでは生分解性プラスチック又はプラスチックブレンド、例えばポリビニルアルコール、ポリ乳酸、ポリヒドロキシ酪酸、ポリカプロラクトン又は溶融処理可能なスターチ（商品名Bioplastで知られている）から生成してもよい。これらの材料は水溶性であり、したがってトイレが洗い流されたときにリムの下に入る水によって、又は別の方法で溶解することができる。
第１の有利な実施態様では、固定部分全体が生分解性材料、好ましくは水溶性材料から形成される。これは、リムの下への固定からの固定部分の取り外しを特に確実にする。さらに、この実施態様は、ホルダーの最も効果的な広範囲な分解、少なくともホルダーのより小さい断片への崩壊を確実にし、固定から溶解されると、ホルダーの洗い流しは容易になる。
ここで、受入部分全体が生分解性材料、好ましくは水溶性材料から形成されることはさらに好ましい。この実施態様では、ホルダーの実質的な部分は生分解性となり、ホルダーの洗い流しは必然的に実質的に容易となる。
本発明のホルダーは便器リムのキャビティにホルダーを固定するために、特に便器リムのアンダーカットに相互係止固着するために、又は便器リムのキャビティに非相互係止ウェッジングするために設計された固定部分によってさらに発展させてもよい。
原理的に、リムの下にホルダーを固定するためのオプションは種々存在する。例えば、固定部分は接着固定力を生じさせるために接着剤部分の形態であってもよい。固定部分は、さらに真空によって生成する摩擦力によって固定させるために吸盤の形態であってもよい。
【０００６】
しかしながら、しばしば、便器リムはＵ字型断面であり、下部で開いているキャビティが形成される。この場合、リムのキャビティにおいて固定部分を固定することは特に有利である。キャビティが適切なアンダーカットで、すなわちキャビティの開口から開いた（flare out）構造で形成されているという条件で、相互係止固着はここで達成される。そのような相互係止固着は固定部分の一部の生分解によって極めて容易に働かなくすることができ、ホルダーはキャビティゾーンから離れる。
あるいは、又はさらに、非相互係止ウェジングは便器リムのキャビティにおいて提供でき、これは、リムがアンダーカットをもたない場合に特に適している。この場合、互いにほぼ反対方向に向いている固定部分の２つの表面は、Ｕ字型キャビティの壁部に対して、好ましくは摩擦力を生じるようにくさび止めされる。
さらに有利な実施態様では、固定部分は、便器リムの下への固定部分の導入時に、固定部分が便器リムキャビティの幅狭キャビティ部分を通り抜けるような方式で変形され、一旦固定部分が幅狭キャビティ部分を押し通されると、相互係止固着が便器リムキャビティのより広いアンダーカットで達成されるように少なくとも部分的に反発する弾性変形可能部分を含む。この方式では、クリップの形成において特に簡単な固定が達成され、それは、固定部分の一部の生分解及びそれによって弾性的な締め付け力が弱くなることによって働かなくなる。この種の固定は相互係止固着に本来適しているが、非相互係止ウェジングについても使用できる。この後者の場合、弾性変形は導入時にのみ必要とされ、反発は必ずしも必要とされない。
【０００７】
特に、活性成分が消費されると分解するように、固定部分及び/又は受入部分の生分解性部分が設計されることは好ましい。この方式では、活性成分が消費されるまでホルダーが固定したまま離れないことが確保される。なお、生分解は、固定について要求される性質がもはや支配的ではなく、その結果ホルダーが便器リムの下から離れるように、機械的性質が変更される程度に、生分解性部分が構造的に変えられることを意味すると解釈されるべきである。これは、固定部分の対応する部分の完全な生分解が必要とされないが、機械的な性質の所望の変更が引き起こされる程度に起こる分解を意味する。
さらに、活性成分が消費されたときに、ホルダーができるだけ早く便器リムの下への固定から取り外されるような方式で固定部分の機械的性質を変えるように生分解性部分が設計されることが特に好ましい。なお、前記有利な実施態様を参照する。
さらに、例えばトイレブロックのような固体活性成分が、好ましくは相互係止方式で少なくとも部分的にグリッドを囲む固体活性成分によって固定されることができるグリッドの形態を、受入部分がとることは好ましい。この実施態様は、便器リムの下に配置されたホルダー全体について特に適しており、もはや使用者に実質的に見えないような特に細長い構造を有することを確保する。
特に、固定部分及び受入部分が使用条件下で目に見えないような大きさにされていることが好ましい。この実施態様は、ホルダーの一部が使用者によって見えないことを確保し、固定されたホルダーを有する便器の特に魅力的な概観を達成する。
【０００８】
ここで、使用時に、受入部分が便器リムのキャビティ内に配置されることが特に好ましい。これは、本発明のホルダーの受入部分の機能的有効性及び視覚的に隠された配置を可能にする。
本発明のホルダーのさらなる発展は、便器リムの下に固定部分を導入するためのホルダーと接合したハンドル部分を含む。この発展は本発明のホルダーの固定を実質的に容易にし、使用者は、ハンドル部分を保持し、それを使用して便器リムの下にホルダーを容易にスライドすることのみを必要とする。
なお、好ましくは予め決められた切断点でホルダーに取り外し可能なように、ハンドル部分が固定されることが特に好ましい。ハンドル部分を、例えばクリップ接合、クランプ接合又は相互係止連結の形態でホルダーに固定し、次いでホルダーが便器リムの下に導入されたら取り外してもよい。特に、ハンドル部分がシングルピースでホルダーに固定され、好ましくはホルダーに近いゾーンが予め決められた切断点として作られ、固定後、ハンドル部分がホルダーから離れることができることは、好ましい。これは、ホルダーが隠れた方式で、及び目に見えるハンドル部分が使用中に避けられる方式で配置される場合、特に有利である。
上述の２つの実施態様は、さらに生分解性である、好ましくは水溶性である、特に活性成分よりも高い水溶性であるハンドル部分によってさらに発展させてもよい。この実施態様では、ハンドル部分を取り外すことを不要にすることができ、ハンドル部分は生分解性プロセスによって除かれる。これは、生分解性プロセスが短い時間内で、例えば数回の排水で起こり（例えば、ハンドル部分の高い水溶性の結果）、こうしてハンドル部分が除かれる場合に、特に有利である。
【０００９】
さらに有利な発展では、本発明のホルダーは、便器リムの下にホルダーが存在することを示すための表示部分を有する。特に、ホルダーが部分的に、又は完全に隠れている場合に、使用者が単純な目視検査によってホルダーの存在を確認できることは有利である。これは、表示部分を有する本発明の発展によって達成される。ここで、表示部分は、例えばリムの少し下に延び、したがって目に見える薄い、好ましくは着色したテープの形態をとってもよい。
なお、表示部分が同時にハンドル部分として機能することは、特に好ましい。これは、本発明のホルダーの簡易製造及び小型で、経済的な実施を可能にする。この実施態様では、もちろんハンドル部分は取り外し可能なハンドル部分として提供することはできないが、その代わりに、ホルダーに永久に取り付けられたままであるように設計されるべきである。
さらに、本発明の目的は、ホルダーが上記のいずれかによって具体化される冒頭に記載されたタイプのトイレクリーナ装置によって達成される。この場合にも、本発明のクリーナ装置はトイレで使用することに限定されず、すでに記載されたように他の用途で、例えばスイミングプールなどにおいて使用することができる。所望の作用を達成する、固体、液体又はゲル形態の、種々の活性成分又は活性成分組成物は、クリーナ装置用活性成分とみなされ得る。
【００１０】
典型的な固体活性成分組成物の１つの例は下記の通りである。
2008522061.tif 000003
【００１１】
この用途で香油の典型的な芳香物質の例は以下の通りである。
酢酸イソボルニル、リモネン、イルアナート（ylanate）、ユーカリプトール、ジヒドロミルセノール、アミルサリチラート、ベンジルアセタート、ゲラニルニトリル、ネロール、 2-メチルウンデカナール及びフェニルエチルアルコール。
ここで、活性成分が液状又はゲル状の薬剤の形態をとり、少なくとも１つの開口を含む受入部分によって囲まれている場合、特に有利である。この場合、受入部分は、活性成分を、好ましくは上部領域に配置された小さい開口部を通って放出できる実質的に密閉された容器の形態をとってもよい。
あるいは、活性成分が、受入部分を少なくとも部分的に囲む固体薬剤の形態をとることは、多くの用途で有利である。ここで、受入部分は、例えばグリッドなどの形態をとってもよい。
本発明のクリーナ装置のさらなる発展は、すでに記載したように、活性成分が存在することを示すように設計された表示部分を有する。この実施態様では、使用者は、活性成分がまだ残っているか、又はすでに消費されたかを、表示部分から結論付けることができる。この実施態様は、活性成分が消費されたしばらく後まで、固定部分の一部の生分解プロセスがホルダーの固定の離脱を生じない場合に特に有利であり、その結果活性成分の所望の活性は、ホルダーが離脱する相当な期間使用される。この場合、活性成分が消費されることを表示部分から確認されてから、清浄作用を引き受ける第２トイレクリーナ装置を固定する場合に、しばしば有利である。
上述の実施態様では、表示部分が活性成分に固定され、前記固定が活性成分の溶解に影響を与えないことは、特に有利である。この方式では、活性成分の存在は直接的に表示されてもよい。表示部分が活性成分の最終部分である活性成分ゾーンに固定され、表示部分が時期尚早に離脱しないように溶解する場合、この目的のために特に有利である。
【００１２】
固定部分、受入部分及び活性成分が、使用時に、便器リムのキャビティ内に配置されることは、特に好ましい。この方法で、本発明のトイレクリーナ装置の美的に目立たない配置が達成される。
ここで、固定部分、受入部分及び活性成分が、使用時に、便器リムのキャビティ内に配置されることは、特に好ましい。この実施態様は、キャビティを有するリムに適しており、一方本発明のトイレクリーナ装置の良い機能を与え、一方外観上魅力的な印象を与える。
本発明の更なる態様は、冒頭に記載したタイプの方法であり、ホルダーは生分解プロセスによって、特に水溶解プロセスによってリムの下への固定から取り外され、便器の排水ゾーンから洗い流すことによって取り除かれる。
本発明の方法は、特に公然と、又は商業的に使用される領域での衛生設備を清掃し、衛生設備を殺菌し、及び/又は衛生設備の臭気を取り除くのに適している。これらの衛生設備の特に簡単で、外観上目立たない衛生上の処理は、本発明の方法により可能である。ここで、特に、本発明の方法は、上述の通りホルダー又はトイレクリーナ装置により効果的に実施され得る。
最後に、本発明の更なる態様は、活性成分を含むホルダーを製造する方法であって、前記方法は、弾性変形可能及び生分解可能材料、特に水溶性材料からシングルピースで固定部分及び受入部分を成形し、固体活性成分を加熱してその物質の状態を糊状又は液状に変え、加熱された活性成分を受入部分の少なくとも１つのゾーンの周りに配置し、活性成分を冷却することを含む。前記方法は、特に前述のようなトイレクリーナ装置を製造するのに適している。ここで、射出成形方法によって固定部分及び受入部分を製造することが好ましく、受入部分が形成されたら、射出成形によって活性成分により封入することが好ましい。
【実施例】
【００１３】
好ましい実施態様を図面を参照して記載する。
図１は便器リム（100）に挿入された本発明のホルダーを示す。例えば、ステンレスシート鋼又はセラミックスから形成された便器は、リムゾーンでＵ字型に内部に曲がっており、第１外部レグ部分（110）及び第２内部レグ部分（120）を形成する。リムの下部ゾーンにおいて、幅狭キャビティ部分（130）は、２つのレグ部分（110、120）の間に形成される。この狭いキャビティ部分（130）はアンダーカット（140）を構成するより広いキャビティ部分を形成するために上部で開いている。
本発明のホルダーは、図２から明らかなように、２つの相互にほぼ平行な、水平支材（11、12）及び水平な支材に垂直に配置された３つの同様に相互に平行な垂直支材（13-15）（２つの水平支材（11、12）と接合する）から作られる。
受入部分（10）は固定部分（20）と一端で接合され、中央の垂直支材（14）の延長としてワンピースで受入部分（10）を接合する。固定部分（20）は、第１レグ（21）及び第２レグ（22）を含む受入部分の方向に開いている断面がほぼＶ字型のクラスプからなる。
第１レグ（21）及び第２レグ（22）は、それ自体が弾性変形可能であり、さらに曲がった弾性ゾーン（23）で互いに接合し、レグ（21、22）は互いに向かって移動し、したがって幅狭キャビティ部分（130）を通ることができる。
受入部分（20）の周りには、固体活性成分（30）（図２において示されない）が配置され、水平支材及び垂直支材（11-15）の間及びその周りで受入部分（10）に相互係止的に固定されている。活性成分（30）は水との接触によりゆっくりと溶解するトイレブロックである。
固定部分（20）の正反対の位置に、再度中央の垂直支材（14）の延長として、円形部分（40）はホルダー上にワンピースで形成される。ハンドル部分（40）はハンドルゾーン（41）を有し、予め決められた切断点（42）はくびれの形態をとる。
図１及び２に示される本発明のホルダーの実施態様は、射出成形方法でワンピースで全て製造され、ホルダーに固定されたトイレブロック（30）よりもゆっくりと溶解するプラスチックからなる。
【００１４】
本発明のホルダーは以下の通り機能する。
形成されたトイレブロック（30）を有するホルダーは、ハンドル部分（40）のハンドルゾーン（41）によって使用者によって保持され、幅狭キャビティ部分（130）に下方から挿入され、上方に押される。その際、固定部分20は、幅狭キャビティ部分を通過するために一緒に閉じられるレグ（21、22）によって最初に変形される。ホルダーが十分遠くに押され、固定部分がアンダーカット（140）に達するとすぐに、レグ（21、22）は弾性的に反発して広がり、レグ（22）は便器リムの外部壁（110）に支えられて止まる。相互係止固着はこのようにして達成される。
その後、使用者は、ホルダーの残りの部分に対してハンドルゾーンを繰り返し曲げたり、ねじったりして予め決められた切断点（42）を切断でき、ハンドル部分を取り除くことができる。ハンドル部分は生分解性材料からなるため、トイレを洗浄することによる処分に関して問題はない。
この後、ホルダーのトイレブロック及び残りの部分は、便器リムの下に隠れて固定される。トイレブロック（30）は、各排水で少量の活性成分を放出する。同時に、各排水は、ホルダー、特に固定部分（20）（トイレブロック（30）が消費されたときに、構造的に弱くなり、ホルダーがリムの下の固定から落ちて、トイレを洗浄することによる問題もなく処理できる）のゆっくりとした溶解をもたらす。したがって、トイレブロックが導入されると、ホルダーを取り除くために、使用者がさらに介入する必要はない。
【００１５】
図３は、図２に示されるホルダーよりも広い固定部分（220）を有する本発明のホルダーの第２の実施態様を示す。図３のホルダーは、複数の垂直支材によって互いに接合される３つの水平支材（211-213）からなる図３のホルダーの受入部分によって図２と異なる。このように、より細かいメッシュがトイレブロック（30）を受け入れるために提供され、構造的に弱い材料から作られるトイレブロックは、その結果図３の実施態様の受入部分で受け入れられ、又はそれに固定され得る。
図に示される実施態様に加えて、多くの異なる設計は、固定部分及び受入部分の両方とも、考えられる。特に、受入部分は、さらにより細かい又はより粗いメッシュの形態をとることができる。さらに、他の３次元構造が考えられ、例えば液状又はゲル状の活性成分を保持するためのフラットバスケット、受入容器などである。
本発明のホルダーに固定されるトイレブロックは、種々の材料からなってもよい。特に、トイレブロックが熱可塑性組成物からなることが好ましく、それは加熱によって糊状又は液状の物質に変換されてもよく、受入部分の周りにこの状態の物質で配置され、次いで冷却により固体状態の物質に変換され、トイレブロックは次いで受入部分に固く固定される。
【図面の簡単な説明】
【００１６】
【図１】固定された活性成分を有し、便器リムの下に挿入された本発明のホルダーの側断面図である。
【図２】図１の実施態様の平面図である。
【図３】本発明のホルダーの第２の実施態様の平面図である。
【図１】
2008522061.tif 000004
【図２】
2008522061.tif 000005
【図３】
2008522061.tif 000006
【国際調査報告】
2008522061.tif 000007
2008522061.tif 000008
2008522061.tif 000009
2008522061.tif 000010